(57)【要約】【課題】デジタルの時刻表示を行いながらも、興趣性に富み、時刻の認識性を向上することのできる時刻表示装置および腕時計を提供する。【解決手段】表示画面にデジタルの時刻情報を表示する時刻表示装置および腕時計である。そして、特定の姿勢になったことを検出する姿勢センサを備え、姿勢センサによりユーザが時刻を確認する姿勢になったことが検出された場合に、１０時桁、１時桁、１０分桁、１分桁の数字表示のサイズを、桁ごとに異なるパターンで大小に変化させるアクション表示（ｆ１〜ｆ５）を行わせる。【選択図】図９
2009063421.tif 000002
【特許請求の範囲】
【請求項１】
表示画面にデジタルの時刻情報を表示する時刻表示装置であって、
特定の姿勢になったことを検出する姿勢センサと、
前記表示画面中の所定の表示枠に時刻を表わす１０時桁、１時桁、１０分桁、１分桁の数字表示を行うとともに、前記姿勢センサにより特定の姿勢になったことが検出された場合に、前記１０時桁、１時桁、１０分桁、１分桁の数字表示のサイズを、桁ごとに異なるパターンで大小に変化させる表示制御手段と、
を備えたことを特徴とする時刻表示装置。
【請求項２】
前記表示枠は、前記１０時桁、１時桁、１０分桁、１分桁の数字表示を横向きに行う構成であり、
前記表示制御手段は、
前記表示枠の縦方向の表示ドット数より縦方向のドット数が少ない表示形態により小サイズの数字表示を行い、
前記小サイズの数字表示より縦方向のドット数が多い表示形態により大サイズの数字表示を行うことを特徴とする請求項１記載の時刻表示装置。
【請求項３】
前記表示制御手段は、
前記姿勢センサにより特定の姿勢が検出されていないときに、前記１０時桁、１時桁、１０分桁、１分桁の数字表示を小サイズで行い、
前記姿勢センサにより特定の姿勢が検出された場合に、前記１０時桁、１時桁、１０分桁、１分桁の数字表示を一旦大サイズにした後、これらの数字表示を１桁ずつ小サイズに戻していくことを特徴とする請求項１又は２に記載の時刻表示装置。
【請求項４】
前記表示制御手段は、
前記姿勢センサにより特定の姿勢が検出された場合に、前記１０時桁、１時桁、１０分桁、１分桁の数字表示をほぼ同時に大サイズにした後、これらの数字表示を前記１０時桁、１時桁、１０分桁、１分桁の順番で小サイズに戻していくことを特徴とする請求項３記載の時刻表示装置。
【請求項５】
前記表示制御手段は、
前記姿勢センサにより特定の姿勢が検出された場合に、前記１０時桁、１時桁、１０分桁、１分桁の数字表示を１秒より短い第１時間長だけ大サイズにし、その後、前記第１時間長より短いサイクルでこれらの数字表示を１桁ずつ小サイズに戻していくことを特徴とする請求項４記載の時刻表示装置。
【請求項６】
前記表示制御手段は、
前記姿勢センサにより特定の姿勢が検出されていないときに、前記１０時桁、１時桁、１０分桁、１分桁の数字表示を、３０秒より長いサイクルで一端側の桁から他端側の桁へと大サイズの数字表示と小サイズの数字表示とを入れ替えていくとともに、
前記姿勢センサにより特定の姿勢が検出された場合に、前記大サイズの数字表示と小サイズの数字表示との入れ替えを所定時間だけ０．２秒より短いサイクルで行うことを特徴とする請求項１又は２に記載の時刻表示装置。
【請求項７】
前記表示制御手段は、
前記１０時桁、１時桁、１０分桁、１分桁をサイクリックにみて、常に、連続する２桁が大サイズの数字表示、残りの２桁が小サイズの数字表示となるように、大サイズの数字表示と小サイズの数字表示との入れ替えを行っていくことを特徴とする請求項６記載の時刻表示装置。
【請求項８】
請求項１〜７の何れかに記載の時刻表示装置と、
該時刻表示装置を腕に装着するための時計バンドとを備えていることを特徴とする腕時計。
【発明の詳細な説明】
【技術分野】
【０００１】
この発明は、デジタルの時刻情報を表示する時刻表示装置および腕時計に関する。
【背景技術】
【０００２】
デジタル時計における時刻表示は、秒の桁が小さく表示されることがあっても、同一桁では常に同一サイズで数字が表示されるのが通常である。
【０００３】
また、本発明に関連する従来技術として、腕時計の本体内部に傾斜センサを設け、腕時計を水平よりやや手前に傾けた場合に、傾斜センサがそれを検知して、この検知により腕時計のバックライトを点灯させるといった自動バックライト機能の技術がある（例えば、特許文献１）。
【特許文献１】特開平０８−３３００９４号公報
【発明の開示】
【発明が解決しようとする課題】
【０００４】
デジタルの時刻表示においては、表示態様に全く変化がないと、無機的で面白みに欠けるという課題がある。
【０００５】
また、漠然と数字が並んでいるだけの時刻表示だと、それを見たときに頭の中で時刻をスムーズに認識し難いという課題がある。例えば、アナログ時計とデジタル時計とを比べた場合、アナログ時計ではチラッと見ただけで自然と時刻が認識できるのに対して、デジタル時計では例えば時刻を暗唱しないと時刻をはっきりと認識できないと云うようなことがある。
【０００６】
この発明の目的は、デジタルの時刻表示を行いながらも、興趣性に富み、時刻の認識性を向上することのできる時刻表示装置および腕時計を提供することにある。
【課題を解決するための手段】
【０００７】
上記目的を達成するため、請求項１記載の発明は、
表示画面にデジタルの時刻情報を表示する時刻表示装置であって、
特定の姿勢になったことを検出する姿勢センサと、
前記表示画面中の所定の表示枠に時刻を表わす１０時桁、１時桁、１０分桁、１分桁の数字表示を行うとともに、前記姿勢センサにより特定の姿勢になったことが検出された場合に、前記１０時桁、１時桁、１０分桁、１分桁の数字表示のサイズを、桁ごとに異なるパターンで大小に変化させる表示制御手段と、
を備えたことを特徴としている。
【０００８】
請求項２記載の発明は、請求項１記載の時刻表示装置において、
前記表示枠は、前記１０時桁、１時桁、１０分桁、１分桁の数字表示を横向きに行う構成であり、
前記表示制御手段は、
前記表示枠の縦方向の表示ドット数より縦方向のドット数が少ない表示形態により小サイズの数字表示を行い、
前記小サイズの数字表示より縦方向のドット数が多い表示形態により大サイズの数字表示を行うことを特徴としている。
【０００９】
請求項３記載の発明は、請求項１又は２に記載の時刻表示装置において、
前記表示制御手段は、
前記姿勢センサにより特定の姿勢が検出されていないときに、前記１０時桁、１時桁、１０分桁、１分桁の数字表示を小サイズで行い、
前記姿勢センサにより特定の姿勢が検出された場合に、前記１０時桁、１時桁、１０分桁、１分桁の数字表示を一旦大サイズにした後、これらの数字表示を１桁ずつ小サイズに戻していくことを特徴としている。
【００１０】
請求項４記載の発明は、請求項３記載の時刻表示装置において、
前記表示制御手段は、
前記姿勢センサにより特定の姿勢が検出された場合に、前記１０時桁、１時桁、１０分桁、１分桁の数字表示をほぼ同時に大サイズにした後、これらの数字表示を前記１０時桁、１時桁、１０分桁、１分桁の順で小サイズに戻していくことを特徴としている。
【００１１】
請求項５記載の発明は、請求項４記載の時刻表示装置において、
前記表示制御手段は、
前記姿勢センサにより特定の姿勢が検出された場合に、前記１０時桁、１時桁、１０分桁、１分桁の数字表示を１秒より短い第１時間長だけ大サイズにし、その後、前記第１時間長より短いサイクルでこれらの数字表示を１桁ずつ小サイズに戻していくことを特徴としている。
【００１２】
請求項６記載の発明は、請求項１又は２に記載の時刻表示装置において、
前記表示制御手段は、
前記姿勢センサにより特定の姿勢が検出されていないときに、前記１０時桁、１時桁、１０分桁、１分桁の数字表示を、３０秒より長いサイクルで一端側の桁から他端側の桁へと大サイズの数字表示と小サイズの数字表示とを入れ替えていくとともに、
前記姿勢センサにより特定の姿勢が検出された場合に、前記大サイズの数字表示と小サイズの数字表示との入れ替えを所定時間だけ０．２秒より短いサイクルで行うことを特徴としている。
【００１３】
請求項７記載の発明は、請求項６記載の時刻表示装置において、
前記表示制御手段は、
前記１０時桁、１時桁、１０分桁、１分桁をサイクリックにみて、常に、連続する２桁が大サイズの数字表示、残りの２桁が小サイズの数字表示となるように、大サイズの数字表示と小サイズの数字表示との入れ替えを行っていくことを特徴としている。
【００１４】
請求項８記載の発明は、
請求項１〜７の何れかに記載の時刻表示装置と、
該時刻表示装置を腕に装着するための時計バンドとを備えていることを特徴とする腕時計である。
【発明の効果】
【００１５】
本発明に従うと、例えばユーザが時刻を確認しようと時刻表示装置を傾けた場合など、装置が特定の姿勢になったときに、時刻表示の１０時桁、１時桁、１０分桁、１分桁の表示サイズが桁ごとに異なるタイミングで変化するので、時刻を確認する際に時刻表示に高い興趣性を付与することができる。
【００１６】
また、時刻表示装置を傾けたときに時刻表示が所定パターンで変化するので、表示パターンに変化がない場合と比較して、ユーザの知覚を自然と時刻表示に集中させることができる。
【００１７】
また、常に一定のタイミングパターンで１０時桁、１時桁、１０分桁、１分桁の桁ごとに表示サイズを変化させるようにすることで、ユーザがこれに慣れたときに、ユーザは時間や分の各桁の区別を一瞬で識別した状態で時刻の認識を明確に行うことができるという効果がある。
【発明を実施するための最良の形態】
【００１８】
以下、本発明の実施の形態を図面に基づいて説明する。
【００１９】
図１は、本発明の実施の形態の腕時計の本体を示した正面図、図２は、この腕時計の内部構成を示したブロック図である。
【００２０】
この実施形態の腕時計本体１は、その正面側にデジタルの時刻表示等の行われる表示窓４が露出され、その左右側面にユーザからの操作入力を受けつける操作キー３が設けられたものである。表示窓４は風防ガラスで覆われた状態に露出されている。また、その上下には時計バンドを取り付けるためのバンド取付部２，２が設けられている。
【００２１】
腕時計本体１の内部には、図２に示すように、表示窓４内に配置されてドット表示により数字や文字の表示出力が可能なドット表示部２２と、腕時計本体１が特定の姿勢になったことを検出する姿勢センサとしての傾斜スイッチ２５と、操作キー３が押されたときに操作信号を出力するキー入力部２６と、現在日時の計時を行う計時部２７と、装置の全体的な制御を行うＣＰＵ（中央演算処理装置）２１と、制御プログラムや制御データを格納したＲＯＭ（Read Only Memory）２４と、ＣＰＵ２１に作業用のメモリ空間や表示メモリを提供するＲＡＭ２３と、ＣＰＵ２１内に設けられ短時間で高速なカウントを行うカウンタ部２１ａ等が設けられている。
【００２２】
ドット表示部２２は、図１に示すように、例えば、１０時桁、１時桁、１０分桁、１分桁の４桁の数字により現在時刻の時分が表示される第１の表示枠２２ａと、２桁の数字により現在時刻の秒が表示される第２の表示枠２２ｂとを有している。ドット表示部２２は、オン・オフの表示出力が可能な表示ドットがマトリックス状に縦横複数ドットずつ並列されて形成されたものである。ＲＡＭ２３には、ドット表示部２２の各表示ドットに１単位の記憶領域がそれぞれ対応づけられた表示メモリ領域が設定されており、一定時間ごと或いは表示更新の際に、この表示メモリ領域のビットデータが読み出されてドット表示部２２の表示ドライバに送られることで、この表示データに対応した内容でドット表示部２２の表示ドットが点灯又は消灯して表示出力が行われるようになっている。
【００２３】
傾斜スイッチ２５は、例えば、金属球が閉じ込められた筐体内に電極を設け、傾斜スイッチ２５が特定の向きに傾斜したときに、この金属球が電極に触れてスイッチオンの信号が出力されるように構成されたものである。また、この傾斜スイッチ２５では、一度、特定の向きに傾斜してスイッチオンの信号が出力されたら、その後、スイッチオンの信号が出力され続けるのではなく、一旦、別の姿勢になった後に再び特定の向きにならないと、スイッチオンの信号が出力されないように構成されている。傾斜スイッチ２５は、例えば、表示窓４を水平にした状態からやや手前側に腕時計本体１を傾けたとき、すなわち、ユーザが表示窓４の表示内容を確認すると想定される向きになったときに、スイッチオンの信号を出力するように設置されている。
【００２４】
図３には、ＲＯＭ内に格納されるフォントデータの一例を説明する図を示す。また、図４〜図７には各フォントデータによる表示内容を表わした画像図を示す。
【００２５】
ＲＯＭ２４には、制御データとして種々のフォントデータが格納されており、その中には、図３に示すように、「０」〜「９」の数字を表示枠２２ａに表示するための複数種類のフォントデータ２４０が含まれている。例えば、横４ドット×縦５ドットの標準フォントデータ２４１、横４ドット×縦５ドットのボールドフォントデータ２４２、横４ドット×縦７ドットの標準フォントデータ２４３、横４ドット×縦７ドットのボールドフォントデータ２４４などが含まれている。
【００２６】
ＣＰＵ２１は、ＲＯＭ２４の各フォントデータ２４１〜２４４…から任意のフォントデータを読み出して、ＲＡＭ２３内の表示メモリ領域における所定の記憶番地にこれを書き込むことで、ドット表示部２２の任意の桁部分に任意のフォントを表示出力することが可能になっている。例えば、４×５ドットの標準フォントデータ２４１を表示メモリ領域に書き込むと、図４に示すように縦方向に小サイズの数字表示が行われる。また、４×５ドットのボールドフォントデータ２４２を書き込むことで、図５に示すように縦方向に小サイズで太字の数字表示が行われる。また、４×７ドットの標準フォントデータ２４３を書き込むことで、図６に示すように縦方向に大サイズの数字表示が行われ、４×７ドットのボールドフォントデータ２４４を書き込むことで、図７に示すように縦方向に大サイズで太字の数字表示が行われるようになっている。
【００２７】
次に、上記構成の腕時計において、傾斜スイッチ２５がオンされたときに、表示枠２２ａの１０時桁、１時桁、１０分桁、１分桁の数字表示の形態が変化する第１傾斜アクション表示について説明する。
【００２８】
図８には、第１傾斜アクション表示の制御処理の処理手順を示すフローチャートを、図９には、第１傾斜アクション表示の表示パターンを表わした説明図を示す。
【００２９】
この第１傾斜アクション表示が行われる表示パターンにおいては、傾斜スイッチ２５がオンされていない通常時において、図９（ａ）に示すような時分の通常表示が行われるようになっている。すなわち、表示枠２２ａの１０時桁、１時桁、１０分桁、１分桁の各桁に、４×５ドットの標準フォントデータ２４１が使用されて、図４に示したフォントの数字表示で時分の表示が行われる。計時部２７の計時が進んで時間や分が変化すると、それに合わせて、ＣＰＵ２１がＲＡＭ２３中の表示メモリ領域の表示データを書き換えて、表示枠２２ａの数字表示も変化する。
【００３０】
このような通常表示が行われている状態で傾斜スイッチ２５がオンされと、次に示すような第１傾斜アクション表示が行われる。
【００３１】
すなわち、ＣＰＵ２１は、図８の制御処理を短いサイクルで繰り返し実行し、この制御処理の開始のステップＳ１で傾斜スイッチ２５がオンしたか監視処理を行う。そして、オンされなければそのまこの制御処理を終了するが、オンされていたらステップＳ２に移行して第１傾斜アクション表示の表示制御を開始する。
【００３２】
第１傾斜アクション表示は、図９（ｂ）〜（ｆ）に示すごとくである。すなわち、傾斜スイッチ２５がオンしたら、図９（ｂ）に示すように、表示枠２２ａの４桁の数字を４×７ドット標準フォントデータ２４３を用いて、大サイズのフォントに変更する（この表示形態をｆ１表示と記す）。そして、このｆ１表示を、例えば０．５秒間保持する。
【００３３】
次いで、図９（ｃ）〜（ｆ）に示すように、４桁の数字表示のうち１０時桁、１時桁、１０分桁、１分桁の順番で、各数字表示を小サイズのフォントに変更していく（これらの各表示形態をｆ２表示〜ｆ５表示と記す）。この小サイズのフォント表示には４×５ドット標準フォントデータ２４１を用いる。さらに、上記のｆ２表示からｆ５表示までの変更を、短い時間サイクル（例えば０．１秒間隔）で行う。そして、ｆ５表示まで遷移させたら、第１傾斜アクション表示の完了として、そのまま通常表示へと移行する。
【００３４】
上記のような第１傾斜アクション表示は、傾斜スイッチ２５がオンしてから合計１秒の間に完了するようになっている。
【００３５】
上記の第１傾斜アクション表示を実現する制御処理は、次のごとくである。すなわち、図８のステップＳ２以降に示すように、傾斜スイッチ２５がオンされてステップＳ２に移行したら、先ず、ＣＰＵ２１内のカウンタ部２１ａの表示変化時間カウンタＣＴに１秒をセットし（ステップＳ２）、このカウンタＣＴのカウントダウンを開始させ（ステップＳ３）、続いて、ステップＳ４〜Ｓ１５のループ処理に移行する。
【００３６】
ループ処理では、先ず、計時部２７の時刻情報とカウンタＣＴの値に応じて表示に使用する数字およびサイズのフォントデータを標準フォントデータ２４１，２４３の中から読み出した後（ステップＳ４）、カウンタＣＴの値に応じた分岐処理を行って（ステップＳ５〜Ｓ１０）、カウンタＣＴの値に応じた表示出力処理を行う（ステップＳ１１〜Ｓ１５）。すなわち、カウンタＣＴが１〜０．５秒を示していればＲＡＭ２３の表示メモリ領域に、図９（ｂ）のｆ１表示を行わせる表示データを書き込んで、その表示出力を行わせる（ステップＳ１１）。また、カウンタＣＴが０．４秒を示していればＲＡＭ２３の表示メモリ領域に、図９（ｃ）のｆ２表示を行わせる表示データを書き込んで、その表示出力を行わせる（ステップＳ１２）。また、カウンタＣＴが０．３秒を示していればＲＡＭ２３の表示メモリ領域に、図９（ｃ）のｆ３表示を行わせる表示データを書き込んで、その表示出力を行わせる（ステップＳ１３）。また、カウンタＣＴが０．２秒を示していればＲＡＭ２３の表示メモリ領域に、図９（ｄ）のｆ４表示を行わせる表示データを書き込んで、その表示出力を行わせる（ステップＳ１４）。また、カウンタＣＴが０．１秒を示していればＲＡＭ２３の表示メモリ領域に、図９（ｅ）のｆ５表示を行わせる表示データを書き込んで、その表示出力を行わせる（ステップＳ１５）。
【００３７】
そして、上記のようなステップＳ４〜Ｓ１０のループ処理をカウンタＣＴが０秒になるまで行って、０秒になったらステップＳ１０の分岐処理によりステップＳ１６に移行し、通常の時刻表示に戻るための処理を行って、この制御処理を終了する。
【００３８】
なお、上記の第１傾斜アクション表示が、時分が変化するタイミングに行われた場合には、その時分の変化に伴って、図９のｆ１表示からｆ５表示の過程で、表示される数字を時刻に合わせて変化させるようにしても良い。また、第１傾斜アクション表示中は、表示される時分の数字は変化させずに、ステップＳ１６の通常表示に戻る処理において、その間に時分が変化した場合に、表示する数字の入れ替えを行うようにしても良い。
【００３９】
次に、第２の傾斜アクション表示について説明する。この第２傾斜アクション表示は、例えば、ユーザが操作キー３を操作して時刻表示パターンの変更設定を行うことで、第１傾斜アクション表示との間で選択的に実行させることが可能なものである。
【００４０】
図１０には、第２傾斜アクション表示の制御処理の処理手順を示すフローチャートを、図１１には、第２傾斜アクション表示の表示パターンを表わした説明図を示す。
【００４１】
第２傾斜アクション表示が行われる表示パターンにおいては、傾斜スイッチ２５がオンされていない通常時、図１１（ａ），（ｂ）に示すように、１０時桁、１時桁、１０分桁、１分桁の数字表示が一定のパターンで変化する時刻表示が行われる。すなわち、これら４桁をサイクリックに見て（すなわち１分桁の次に１０時桁が続くように見て）、連続する２桁が大サイズの数字表示となり、残りの２桁が小サイズの数字表示となり、さらに、これら大サイズの２桁の数字表示が１桁ずつ右側にずれていくような変化パターンで時刻表示が行われる。
【００４２】
例えば、図１１（ａ）〜（ｄ）に示すように、１分桁と１０時桁とが大サイズとなる表示パターン（ｆ（０）表示と記す）、１０時桁と１時桁とが大サイズとなる表示パターン（ｆ（１）表示と記す）、１時桁と１０分桁とが大サイズとなる表示パターン（ｆ（２）表示と記す）、１０分桁と１分桁が大サイズとなる表示パターン（ｆ（３）表示と記す）の順番でサイクリックに表示パターンが変化していく。なお、図１１（ｃ）と（ｄ）は、第２傾斜アクション表示中の表示内容であるが、表示パターンだけ見れば、通常時の表示パターンもこのように変化する。
【００４３】
上記のｆ（０）表示〜ｆ（３）表示において、小サイズの数字表示は、例えば４×５ドットのボールドフォントデータ２４２により行われ、大サイズの数字表示は、例えば４×７ドットのボールドフォントデータ２４４により行われる。これらの小サイズと大サイズの数字表示は、フォントの底辺部が同位置になるように設定され、それにより、上記表示パターンの変化によりフォントの上辺部が波を打って流れるような表現がなされるようになっている。
【００４４】
また、通常時の表示としては、上記のような変化パターンの表示が、長い周期（例えば１分）ごとに１回の変化がなされるように行われる。さらに、上記のｆ（０）表示〜ｆ（３）表示の変化パターンとは別に、計時部２７の計時が進んで時間や分が変化すると、それに伴って、ＣＰＵ２１がＲＡＭ２３中の表示メモリ領域の表示データを書き換えて、表示枠２２ａの数字も変化されるようになっている。この場合にも、フォントの種類は上記の変化パターンに従ったものが使用される。
【００４５】
このような通常表示を行っている状態において、傾斜スイッチ２５がオンされることで次に示すような第２傾斜アクション表示が行われる。
【００４６】
すなわち、ＣＰＵ２１は、図１０の制御処理を短いサイクルで繰り返し実行し、この制御処理の開始のステップＳ１で傾斜スイッチ２５がオンしたか否かの監視処理を行う。そして、オンされなければそのままこの制御処理を終了するが、オンされていたらステップＳ２に移行して第２傾斜アクション表示の表示制御を開始する。
【００４７】
第２傾斜アクション表示は、図１１（ｃ）〜（ｆ）に示すごとくである。すなわち、傾斜スイッチ２５がオンしたら、上述した通常時の変化パターンを短い周期（例えば８Ｈｚ）ごとに１回の変化がなされるように、所定期間（例えば１秒間）だけ高速に表示するアクション表示を行う。
【００４８】
具体的には、傾斜スイッチ２５がオンしたら、その直前で行われていた通常時の表示パターンに続く形態で、第２傾斜アクション表示を開始する。すなわち、図１１の例では、傾斜スイッチ２５のオン直前にはｆ（１）表示がなされているので、第２傾斜アクション表示では、ｆ（２）表示から開始する。そして、図１１（ｃ）〜（ｆ）に示されるように、ｆ（２）表示→ｆ（３）表示→ｆ（０）表示→ｆ（１）表示→ｆ（２）表示→ｆ（３）表示→ｆ（０）表示→ｆ（１）表示と、短い周期（例えば０．１２５秒）ごとに８回表示パターンを変化させて、１回のアクション表示を終了する。そして、１回のアクション表示が終了したら、そのまま、上述の通常表示に戻る。
【００４９】
上記のような第２傾斜アクション表示は、傾斜スイッチ２５がオンしてから合計１秒で終了するようになっている。
【００５０】
上記の第２傾斜アクション表示を実現する制御処理は、次のごとく行われる。すなわち、図１０のステップＳ２２以降に示すように、先ず、傾斜スイッチ２５がオンされてステップＳ２２に移行したら、現在の表示パターンがｆ（０）表示〜ｆ（３）表示の何れであるかを確認し（ステップＳ２２）、続いて、ＣＰＵ２１内のカウンタ部２１ａの表示変化時間カウンタＣＴに１秒をセットし（ステップＳ２３）、このカウンタＣＴのカウントダウンを開始させる（ステップＳ２４）。その後、ステップＳ２５〜Ｓ４０のループ処理に移行する。
【００５１】
ループ処理では、先ず、計時部２７の時刻情報とカウンタＣＴの値に応じて表示に使用する数字およびサイズのフォントデータをボールドフォントデータ２４２，２４４の中から読み出した後（ステップＳ２５）、カウンタＣＴの値に応じた分岐処理を行って（ステップＳ２６〜Ｓ３３）、カウンタＣＴの値に応じた表示出力処理を行う（ステップＳ３４〜Ｓ４０）。すなわち、カウンタＣＴが０．８７５秒を示したら、ステップＳ２２で確認した表示パターン（ｆ（ａ）表示：ａは１〜４の何れか）の次の表示パターン（ｆ（ａ＋１）表示：括弧内はｍｏｄ４で計算する）の表示データをＲＡＭ２３の表示メモリ領域に書き込んで、その表示出力を行わせる（ステップＳ３４）。また、カウンタＣＴが０．７５秒を示したら、その次の表示パターン（ｆ（ａ＋２）表示：括弧内はｍｏｄ４で計算する）の表示データをＲＡＭ２３の表示メモリ領域に書き込んで、その表示出力を行わせる（ステップＳ３５）。このような処理を、カウンタＣＴの値が０．１２５秒ずつ減算されるごとに行う（ステップＳ３６〜Ｓ４１）。
【００５２】
そして、上記のようなステップＳ２５〜Ｓ３３のループ処理をカウンタＣＴが０秒になるまで行って、０秒になったらステップＳ３３の分岐処理によりステップＳ４１に移行し、該ステップＳ４１で、次の表示パターン（ｆ（ａ）表示）により通常表示に戻して、この制御処理を終了する。このような制御処理によって、図１１に示すような第２傾斜アクション表示が実現される。
【００５３】
以上のように、この実施の形態の腕時計によれば、ユーザが時刻を確認しようと腕時計本体１を水平より少し手前に傾けた場合に、時刻表示の１０時桁、１時桁、１０分桁、１分桁の表示サイズが桁ごとに異なるタイミングパターンで変化するので、時刻を確認する際に時刻表示に高い興趣性を付与することができる。また、このような表示パターンの変化により、表示パターンに変化がない場合と比較して、ユーザの知覚を自然と時刻表示に集中させられるという効果がある。
【００５４】
また、第１傾斜アクション表示のように、腕時計本体１を傾けた後、常に一定のタイミングパターンで１０時桁、１時桁、１０分桁、１分桁の各桁ごとに表示サイズが変化されるので、ユーザがこの表示パターンに慣れたときに、ユーザは瞬間的に時間と分の各桁の区別を識別した状態で時刻の認識を明確に行うことができるという効果が得られる。
【００５５】
特に、第１傾斜アクション表示のように、腕時計本体１を傾けた後、０．５秒程度の第１時間長だけ全桁の数字を大サイズで表示させ、その後、０．１秒程度の短いサイクルで１０時桁、１時桁、１０分桁、１分桁の順番で、各桁の数字を小サイズに戻していくことで、時間を読むときの視線の動きに沿って数字表示のサイズが変化していくため、明確に素早く時刻認識を行うことができるという効果が奏される。このような、作用は、例えば、マラソンなどで腕時計を瞬間的に見て時刻を正確に認識したいような場合に特に効果的である。
【００５６】
なお、本発明は、上記実施の形態に限られるものではなく、様々な変更が可能である。例えば、上記実施形態では、時刻表示装置として腕時計本体１を例示したが、懐中時計や置き時計などに利用することも出来る。
【００５７】
また、上記実施形態では、姿勢センサとして傾斜スイッチを例示したが、ジャイロセンサーなど、センサの構造は種々のものを利用可能である。また、アクション表示が開始される姿勢として、表示窓４が水平な状態より手前側に少し傾いた姿勢を例示したが、この姿勢をユーザが時刻を確認した状態と想定される姿勢に設定するのが効果的であるが、特に、それに制限されるものではない。
【００５８】
また、サイズ大とサイズ小の字体、時刻表示の並ぶ向き、フォントの大小を縦方向に変化させるか横方向に変化させるかなど、時刻表示の表示形態は種々に変更可能である。その他、実施の形態で示した細部の構成および処理方法は、発明の趣旨を逸脱しない範囲で適宜変更可能である。
【図面の簡単な説明】
【００５９】
【図１】本発明の実施の形態の腕時計の本体を示した正面図である。
【図２】腕時計の内部構成を示したブロック図である。
【図３】ＲＯＭ内に格納されるフォントデータの一例を示す図である。
【図４】４×５ドット標準のフォントデータに基づく表示内容を表わした図である。
【図５】４×５ドットボールドのフォントデータに基づく表示内容を表わした図である。
【図６】４×７ドット標準のフォントデータに基づく表示内容を表わした図である。
【図７】４×７ドットボールドのフォントデータに基づく表示内容を表わした図である。
【図８】第１傾斜アクション表示の制御処理の処理手順を示すフローチャートである。
【図９】第１傾斜アクション表示の表示パターンを説明する図である。
【図１０】第２傾斜アクション表示の制御処理の処理手順を示すフローチャートである。
【図１１】第２傾斜アクション表示の表示パターンを説明する図である。
【符号の説明】
【００６０】
１      腕時計の本体（時刻表示装置）
４      表示窓
２１    ＣＰＵ（表示制御手段）
２１    カウンタ部
２２    ドット表示部
２２ａ  第１表示枠
２３    ＲＡＭ
２４    ＲＯＭ
２５    傾斜スイッチ
２６    キー入力部
２７    計時部
２４０  フォントデータ
【図１】
2009063421.tif 000003
【図２】
2009063421.tif 000004
【図３】
2009063421.tif 000005
【図４】
2009063421.tif 000006
【図５】
2009063421.tif 000007
【図６】
2009063421.tif 000008
【図７】
2009063421.tif 000009
【図８】
2009063421.tif 000010
【図９】
2009063421.tif 000011
【図１０】
2009063421.tif 000012
【図１１】
2009063421.tif 000013